(57)【特許請求の範囲】
【請求項１】
支持装置（１０）とベース装置（１１）を有し、これら支持装置とベース装置の間に、互いに交差させられ、シザー軸（６）を中心として互いに相対的に旋回可能な、それぞれ互いに平行に配置された複数のシザーブレードから構成された第１及び第２のシザーブレード装置（１，２）から成るシザー機構が配置され、支持装置（１０）は、少なくとも１つの牽引手段（４）を介して可動のリフト車（３）により、牽引手段（４）の巻取りによってベース装置（１１）から離れるように移動させ、これによりシザー機構を開放するために上昇させ、牽引手段（４）の巻解きによってベース装置（１１）に向かって移動させ、これによりシザー機構を閉鎖するために降下させることができ、リフト操作中のリフト荷重をコントロールするために形成された少なくとも１つのリフトカム（８）が設けられ、このリフトカム上を、リフト車（３）が、支持装置（１０）の上昇もしくは降下中に沿って走行する、シザー型リフトテーブルにおいて、
リフトカム（８）がベース装置（１１）に固定され、リフト車（３）が、リフトカム（８）と、ベース装置（１１）に旋回可能に枢支された第１のシザーブレード装置（１）との間を案内されていること、牽引手段（４）が、ドラム（５）に巻取り可能であり、このドラムが、第１のシザーブレード装置（１）とベース装置（１１）を結合する枢支装置（１ｂ）のリフトカム（８）とは反対の側でベース装置（１１）に設けられていること、牽引手段（４）が、第２のシザーブレード装置（２）に取り付けられた第１の方向転換装置（９ｂ）と、枢支装置（１ｂ）とドラム（５）の間に配置された第２の方向転換装置（９ａ）とを介して、リフト車（３）まで案内されていること、を特徴とするシザー型リフトテーブル。
【請求項２】
少なくとも１つのリニアガイド（７）が設けられ、このリニアガイドが、第１のシザーブレード装置（１）のベース装置（１１）の側の部分と結合され、シザー軸（６）と、第１のシザーブレード装置（１）とベース装置（１１）を結合する枢支装置（１ｂ）との間に設けられていること、を特徴とする請求項１に記載のシザー型リフトテーブル。
【請求項３】
第１の方向転換装置（９ｂ）が、第２のシザーブレード装置（２）のベース装置（１１）の側の終端（２ｂ）の領域に配置され、第２の方向転換装置（９ａ）がベース装置（１１）に配置されていること、を特徴とする請求項１又は２に記載のシザー型リフトテーブル。
【請求項４】
第１と第２の方向転換装置（９ｂ，９ａ）が方向転換ローラであること、を特徴とする請求項３に記載のシザー型リフトテーブル。
【発明の詳細な説明】
【技術分野】
【０００１】
本発明は、請求項１の上位概念に記載のシザー型リフトテーブルに関する。
【背景技術】
【０００２】
相応のシザー型リフトテーブルは、独国特許出願公告第１００  ０１  ９１０号明細書（特許文献１）から公知である。テーブルを上昇させるため、そこでは、シザー軸を中心として旋回可能な交差したシザーブレードの間で、リフト車が、牽引ベルトによってシザー軸の方向に引っ張られる。この場合、リフト車は、シザーブレードに解離可能又は調整可能に固定されたリフトカムを介して走行する。リフトカムは、牽引ベルトによって加えられるリフト荷重が、リフト操作にわたって有利に分配され得るようにするために働く。これは、特にシザー型リフトテーブルの完全に降下した状態での始動を容易化する。
【０００３】
この構成は、過去においては全く実績があった。但し、限定的なスペース余裕度に基づいて、使用されるリフトカムのバリエーションの可能性は限定されている。
【０００４】
更に、この構成は、整備性がある程度不十分であり、それは、シザー機構の内部でシザー軸の方向に延在する牽引ベルトは、整備時のシザー型リフト装置の幾つかの領域への接近を困難にし、場合によっては、整備を行ない得るようにするために最初に外さなければならないからである。
【先行技術文献】
【特許文献】
【０００５】
【特許文献１】独国特許出願公告第１００  ０１  ９１０号明細書
【発明の概要】
【発明が解決しようとする課題】
【０００６】
従って、本発明の課題は、前記の欠点が生じないように、冒頭で述べたシザー型リフトテーブルを改善することにある。
【課題を解決するための手段】
【０００７】
この課題は、請求項１の特徴を有するシザー型リフトテーブルによって解決される。有利な実施形態は、従属請求項に記載されている。
【０００８】
本発明によれば、リフトカムがベース装置に固定されているので、リフト車は、リフトカムと第１のシザーブレード装置との間を案内される。このため、特にリニアガイドが設けられ、このリニアガイドが、第１のシザーブレード装置のベース装置の側の部分と結合されている。更に、リニアガイドは、シザー軸と、第１のシザーブレード装置とベース装置を結合する枢支装置との間に設けられている。
【０００９】
枢支装置は、例えば、シザーブレード装置をベース装置と結合するジョイントボルトとすることができる。
【００１０】
好ましくは、牽引手段は、ドラムに巻取り可能である。このドラムは、駆動装置、特に駆動モータによって操作することができ、好ましくは、第１のシザーブレード装置とベース装置を結合する枢支装置のリフトカムとは反対の側でベース装置に設けられている。
【００１１】
これにより、多くの利点が得られる。一方で、ベース装置上には、リフトカムの形成のために大きいスペースが提供される。更に、牽引手段は、ベース装置に対してほぼ平行に延在し、もはやシザー型リフトテーブルの内部に達することはなく、シザー軸を超えることもないので、整備時の妨害が十分に回避される。加えて、ベース装置には、この牽引手段の案内時、複数の方向転換装置、特に方向転換ローラが、牽引手段のために設置することができ、これら方向転換は、シザー型リフトテーブルのリフト領域内に位置せず、従って、シザー型リフトテーブルの上昇もしくは降下を妨害しない。複数の方向転換ローラを設けることにより、公知の解決策に対して、滑車の原理を実現することができ、これにより、牽引手段を巻き取るための駆動装置は、場合によってはより小さく設計することができ、これが、更にまた、コストを削減することができる。
【００１２】
このため、特に、牽引手段は、第２のシザーブレード装置に取り付けられた第１の方向転換装置と、枢支装置とドラムの間に配置された第２の方向転換装置とを介して、リフト車まで案内されている。
【００１３】
本発明を、図面に基づいて詳細に説明する。
【図面の簡単な説明】
【００１４】
【図１】本発明の一実施例
【発明を実施するための形態】
【００１５】
シザー型リフトテーブルは、支持装置１０と、地面又は載置面上に配置すべきベース装置１１と、上昇させるべき対象を受け止めるための支持装置１０とベース装置１１の間に配置されたシザー機構とによって構成される。シザー機構は、シザー軸６を中心として互いに旋回可能な交差したシザーブレード装置１、即ち第１のシザーブレード装置１及び第２のシザーブレード装置２によって構成される。各シザーブレード装置は、好ましくは互いに平行に配置された２つ以上のシザーブレードを備え、示した側面図においては、それぞれそのうちに１つしか図示されていない。
【００１６】
１つのシザーブレード装置１，２のシザーブレードは、互いに不動に、例えば示してないクロストラバースによって結合、特に溶接されている。
【００１７】
図に見られるように、シザー機構は、第２のシザーブレード装置２によって支持装置１０に枢支されている。枢支は、ここではジョイントボルト２ａによって行なわれる。第２のシザーブレード装置の反対側の終端２ｂは、ベース装置１１内のガイド１１ａ内に可動に案内されている。同様に、第１のシザーブレード装置１の上の終端１ａは、支持装置１０内のガイド１０ａ内に案内されるが、第１のシザーブレード装置１の終端１ａとは反対側の下の終端１ｂは、ベース装置１１に枢支されている。ここでも、再び、シザーブレードと結合された枢支ボルトを設けることもできる。
【００１８】
シザー機構は、リフト車３によって操作されるが、このリフト車は、（図示してない）ドラム５を駆動する駆動装置によって移動される。ドラム５に巻取り可能な、リフト車３と結合された牽引手段は、これは、好ましくは少なくとも１つのベルトを有するが、巻取り時にドラム５に掛けられ、リフト車をドラム５に向かう方向Ａに移動させる。この場合、リフト車３は、１ｂの横の枢支軸の方向にリフトカム８をわたってかつリニアガイド７に沿って移動し、これによりシザーブレード装置１を方向Ｐ１に旋回させる。
【００１９】
これにより、同様に、シザーブレード装置２は、シザー軸６における連結に基づいて旋回され、支持装置１０が上昇され、終端１ａ及び２ｂは、当該ガイド１０ａもしくは１１ａ内を移動される。
【００２０】
テーブルもしくは支持装置１０を降下させるため、牽引手段４は、ドラムから巻き解かれる。その場合、テーブルの重力は、リフト車がシザーブレード装置１とリフトカム８の間を、牽引手段４が許している間は方向Ｂに移動されることを生じさせる。即ち、ドラムから牽引手段４を巻き解くことにより、リフト車３は、本質的に方向Ｂに移動され、これにより、連結された両シザーブレード装置１，２の上の終端２ａと１ａは、模範的に第２のシザーブレード装置２に対して矢印Ｐ２によって図示したように、ベース装置１１に向かって旋回される。その場合、両終端１ａ及び２ｂは、相応にそれぞれのガイド１０ａ，１１ａ内を方向Ｂに移動する。これにより、テーブルが降下される。
【００２１】
有利には、牽引手段４は、ドラム５から、第２のシザーブレード装置２のベース装置の側の下の終端２ｂの領域内で第２のシザーブレード装置に取り付けられた第１の方向転換ローラ９ｂと少なくとも１つの別の方向転換ローラ９ａとを介して、リフト車３まで案内される。第２の方向転換ローラ９ａは、不動にベース装置１１と結合され、好ましくはドラム５と、第１のシザーブレード装置１を旋回可能にベース装置１１に枢支する枢支軸もしくは第１のシザーブレード装置１のベース装置１１の側の下の終端１ｂとの間に配置されている。
【００２２】
このようにして、可動と不動のローラによる滑車の原理を実現し、ドラム５を駆動するためのユニットの寸法設定に対する要求を低減することができる。
【符号の説明】
【００２３】
１        第１のシザーブレード装置
１ａ      上の終端
１ｂ      下の終端
２        第２のシザーブレード装置
２ａ      ジョイントボルト
２ｂ      終端
３        リフト車
４        牽引手段
５        ドラム
６        シザー軸
７        リニアガイド
８        リフトカム
９ａ      第２の方向転換ローラ
９ｂ      第１の方向転換ローラ
１０      支持装置
１０ａ    ガイド
１１      ベース装置
１１ａ    ガイド
【図１】
0006014677.tif 000002